(57)【要約】【課題】複列ころ軸受において、内輪及び外輪との間でころの滑りが発生しやすい環境であっても、その発生を抑制する。【解決手段】複列ころ軸受１０は、内輪１１、外輪１２、これら内輪１１と外輪１２との間に設けられている複列のころ１３，１４を備えている。内輪１１及び外輪１２に対するころ１３，１４の接触荷重が、軸方向一方側の第一ころ１３を複数含む第一列Ｌ１と軸方向他方側の第二ころ１４を複数含む第二列Ｌ２とで相違することがある。第一列Ｌ１と第二列Ｌ２とのうちの少なくとも一方の列に含まれるころの外周に被膜が形成されていることにより、第一ころ１３の外周面２０の摩擦係数が第二ころ１４の外周面２３の摩擦係数よりも大きい。【選択図】      図１
2019100487.tif 000002
【特許請求の範囲】
【請求項１】
内輪、外輪、及び、前記内輪と前記外輪との間に設けられている複列のころを備え、前記内輪及び前記外輪に対する前記ころの接触荷重が、軸方向一方側の第一ころを複数含む第一列と軸方向他方側の第二ころを複数含む第二列とで相違することのある複列ころ軸受であって、
前記第一列と前記第二列とのうちの少なくとも一方の列に含まれる前記ころの外周に被膜が形成されていることにより、前記第一ころの外周面の摩擦係数が前記第二ころの外周面の摩擦係数よりも大きい、複列ころ軸受。
【請求項２】
前記第一ころの外周と前記第二ころの外周とに異なる被膜が形成されている、請求項１に記載の複列ころ軸受。
【請求項３】
軸方向一方側から軸方向他方側へアキシアル荷重が作用する複列ころ軸受であって、
前記アキシアル荷重によって、前記接触荷重が大きくなる負荷列側となる前記第二列に含まれる前記第二ころの外周面の摩擦係数よりも、前記接触荷重が小さくなる反負荷列側となる前記第一列に含まれる前記第一ころの外周面の摩擦係数が大きい、請求項１又は２に記載の複列ころ軸受。
【発明の詳細な説明】
【技術分野】
【０００１】
本発明は、複列ころ軸受に関する。
【背景技術】
【０００２】
複列ころ軸受として、例えば、図８に示す自動調心ころ軸受が知られている。自動調心ころ軸受は、内輪９１、外輪９２、及び、これら内輪９１と外輪９２との間に設けられている複列のころ９３を備えている。このような複列のころ９３を備えている自動調心ころ軸受において、アキシアル荷重が負荷される場合、軸方向一方側に設けられている複数のころ９３を含む第一列Ｌ１側と、軸方向他方側に設けられている複数のころ９３を含む第二列Ｌ２側とで、内輪９１及び外輪９２に対するころ９３の接触荷重が相違する。つまり、内輪９１に軸方向一方側から他方側へ向かうアキシアル荷重が作用すると、第一列Ｌ１側で前記接触荷重が小さくなり、第二列Ｌ２側で前記接触荷重が大きくなる。
【０００３】
内輪９１及び外輪９２に対するころ９３の接触荷重が小さくなると、ころ９３は内輪９１及び外輪９２との間で滑りが発生しやすく、滑りの発生は焼付き（微小焼付き：以下「スミアリング」という。）の原因となる。スミアリングは、軸受が貧潤滑状態になると特に発生しやすい。
【０００４】
そこで、例えば特許文献１では、スミアリングによる焼付きを防ぐために、ころの外周にダイヤモンドライクカーボンによるコーティング層を形成した複列ころ軸受が提案されている。
【先行技術文献】
【特許文献】
【０００５】
【特許文献１】特開２０１１−１５３６７０号公報
【発明の概要】
【発明が解決しようとする課題】
【０００６】
前記特許文献１に記載の複列ころ軸受の場合、コーティング層として用いられているダイヤモンドライクカーボンは、潤滑性に優れ、かつ、鋼製であるころとの密着性が高い。つまり、特許文献１に記載の複列ころ軸受では、潤滑性を高めることができると共に消滅し難い潤滑被膜をころの外周に形成し、これにより、内輪及び外輪に対するころの滑りが発生しても焼付きを生じ難くすることを目的としている。しかし、特許文献１の構成では、内輪及び外輪に対するころの滑り自体を抑制することはできない。
【０００７】
そこで、本発明は、内輪及び外輪との間でころの滑りが発生しやすい環境であっても、その発生を抑制することが可能となる複列ころ軸受を提供することを目的とする。
【課題を解決するための手段】
【０００８】
本発明の複列ころ軸受は、内輪、外輪、及び、前記内輪と前記外輪との間に設けられている複列のころを備え、前記内輪及び前記外輪に対する前記ころの接触荷重が、軸方向一方側の第一ころを複数含む第一列と軸方向他方側の第二ころを複数含む第二列とで相違することのある複列ころ軸受であって、前記第一列と前記第二列とのうちの少なくとも一方の列に含まれる前記ころの外周に被膜が形成されていることにより、前記第一ころの外周面の摩擦係数が前記第二ころの外周面の摩擦係数よりも大きい。
【０００９】
この複列ころ軸受によれば、内輪及び外輪に対するころの接触荷重が、第一列側で第二列側と比較して小さくなり、内輪及び外輪との間で第一列に含まれる第一ころの滑りが発生しやすい環境であっても、第一ころの外周面の摩擦係数が大きいことから、滑りの発生を抑制することが可能となる。
【００１０】
また、前記第一ころの外周と前記第二ころの外周とに異なる被膜が形成されているのが好ましい。この場合、第一ころに摩擦係数を高くする第一被膜が形成され、第二ころに第一被膜とは異なる（摩擦係数を低くする）第二被膜が形成されればよい。これにより、第一ころの滑りを抑制することができると共に、第二ころと内輪及び外輪との接触による摩耗を抑制することが可能となる。
【００１１】
また、軸方向一方側から軸方向他方側へアキシアル荷重が作用する複列ころ軸受であって、前記アキシアル荷重によって、前記接触荷重が大きくなる負荷列側となる前記第二列に含まれる前記第二ころの外周面の摩擦係数よりも、前記接触荷重が小さくなる反負荷列側となる前記第一列に含まれる前記第一ころの外周面の摩擦係数が大きいのが好ましい。この場合、反負荷列側となる第一列の第一ころと内輪及び外輪との間で滑りが発生しやすい環境となるが、第一ころの外周面の摩擦係数が大きいことから、滑りの発生を抑制することが可能となる。
【発明の効果】
【００１２】
本発明の複列ころ軸受によれば、内輪及び外輪との間で第一列に含まれる第一ころの滑りが発生しやすい環境であっても、その発生を抑制することが可能となる。
【図面の簡単な説明】
【００１３】
【図１】本発明の複列ころ軸受の一例を示す断面図である。
【図２】第一ころ及び第二ころを説明する断面図である。
【図３】各例で用いられる被膜の摩擦係数（代表値）を示す図である。
【図４】摩擦係数を測定する方法の説明図である。
【図５】図２に示す形態の変形例を示しており、第一ころ及び第二ころを説明する断面図である。
【図６】別の変形例を示しており、第一ころ及び第二ころを説明する断面図である。
【図７】更に別の複列ころ軸受の断面図である。
【図８】従来の自動調心ころ軸受の断面図である。
【発明を実施するための形態】
【００１４】
図１は、本発明の複列ころ軸受の一例を示す断面図である。図１に示す複列ころ軸受１０は、自動調心ころ軸受であり、内輪１１、外輪１２、及びこれら内輪１１と外輪１２との間に設けられている複列のころ１３，１４を備えている。軸方向一方側（図１において左側）に設けられている複数の第一ころ１３により第一列（第一ころ列）Ｌ１が構成され、軸方向他方側（図１において右側）に設けられている複数の第二ころ１４により第二列（第二ころ列）Ｌ２が構成されている。
【００１５】
複列ころ軸受１０は、環状の保持器１９を備えており、本実施形態の保持器１９は、第一列Ｌ１に含まれる複数の第一ころ１３を周方向に間隔をあけて保持すると共に、第二列Ｌ２に含まれる複数の第二ころ１４を周方向に間隔をあけて保持している。なお、保持器１９は他の形状であってもよい。複列ころ軸受１０は、円環状の案内輪１５を更に備えている。案内輪１５は、内輪１１と保持器１９との間であって、複数の第一ころ１３（第一列Ｌ１）と複数の第二ころ１４（第二列Ｌ２）との間に設けられている。案内輪１５は、保持器１９をガイドし、保持器１９の径方向の位置決めを行なう。
【００１６】
外輪１２は、内周に単一の外軌道面１８が設けられており、図１に示すように、外輪１２の断面形状は軸方向一方側と他方側とで対称（図１において左右対称）である。外軌道面１８は、凹曲面からなり、複列ころ軸受１０の中心軸Ｃ上の点（軸受中心点Ｑ）から所定の半径を有する球面に沿った形状である。
【００１７】
内輪１１は、外周に二列の内軌道面１６，１６が設けられており、図１に示すように、内輪１１の断面形状は軸方向の一方側と他方側とで対称（図１において左右対称）である。内軌道面１６は、凹曲面からなり、図１に示すように中心軸Ｃを含む断面において、内軌道面１６の形状は円弧となる。この円弧は、外軌道面１８を形成する前記球面の半径と略同じ半径を有している。二列の内軌道面１６，１６の間には円筒面１７が形成されている。
【００１８】
自動調心ころ軸受１０が回転すると（本実施形態では内輪１１が回転すると）、第一ころ１３及び第二ころ１４は内軌道面１６及び外軌道面１８を転動する（転がり接触する）。第一ころ１３及び第二ころ１４は共に凸面ころ（球面ころ）であり、同じ形状である。しかし、後に説明するように、第一ころ１３の外周面２０と第二ころ１４の外周面２３とで摩擦係数が異なっている。形状について具体的に説明すると、第一ころ１３は、凸曲面状の外周面２０と、軸方向一方側（軸方向外側）の端面２１と、その反対側（軸方向内側）の端面２２とを有している。第二ころ１４は、凸曲面状の外周面２３と、軸方向他方側（軸方向外側）の端面２４と、その反対側（軸方向内側）の端面２５とを有している。
【００１９】
以上の構成を備えている自動調心ころ軸受１０は、内輪１１と外輪１２との相互の中心軸の傾きを許容することができる。本実施形態では、内輪１１、外輪１２、及びころ１３は軸受鋼（ＳＵＪ２〜５のいずれか）であり、案内輪１５は鋳鉄である。保持器１９は、金属製又は樹脂製とすることができる。
【００２０】
図１に示す自動調心ころ軸受１０は、例えば風力発電の主軸９を支持する軸受として用いられる。自動調心ころ軸受１０には主軸９からラジアル荷重（径方向の荷重）が作用する他に、アキシアル荷重（軸方向の荷重）も作用する。通常運転状態では、アキシアル荷重の方向は一定である。つまり、アキシアル荷重の方向は軸方向一方側から他方側へ向かう方向である。図１において、主軸９及び自動調心ころ軸受１０を収容するハウジング８を仮想線（二点鎖線）で示している。
【００２１】
このような自動調心ころ軸受１０において、その中心にラジアル荷重のみが作用している場合、つまり、中心軸Ｃに直交し軸受中心点Ｑを通過する仮想面に沿った方向の荷重のみが作用している場合、内輪１１及び外輪１２に対する第一ころ１３の接触荷重と、内輪１１及び外輪１２に対する第二ころ１４の接触荷重とは同じになる。主軸９から自動調心ころ軸受１０に一方向のアキシアル荷重（図１において矢印Ｆで示す方向の荷重）が作用すると、ハウジング８に固定状態となっている外輪１２に対して、主軸９と一体となっている内輪１１は、軸方向一方側から他方側へ変位しようとする。このとき、前記のとおり、第一ころ１３及び第二ころ１４は凸面ころ（球面ころ）であり、内軌道面１６及び外軌道面１８がこのような凸面ころに沿った形状であることから、自動調心ころ軸受１０では、ラジアル荷重のみが作用する場合と比較して、第一列Ｌ１側の第一ころ１３の内輪１１及び外輪１２に対する接触荷重は小さくなり、第二列Ｌ２側の第二ころ１４の内輪１１及び外輪１２に対する接触荷重は大きくなる。
【００２２】
つまり、軸方向一方側から他方側へ向かうアキシアル荷重が内輪１１に作用した場合、内輪１１と外輪１２との間において、第二列Ｌ２側が、前記接触荷重が大きくなる「負荷列側」となり、第一列Ｌ１側が、前記接触荷重が小さくなる「非負荷列側」となる。このように、軸方向一方側の第一ころ１３を複数含む第一列Ｌ１と、軸方向他方側の第二ころ１４を複数含む第二列Ｌ２とで、内輪１１及び外輪１２に対するころの接触荷重が相違することがある。
【００２３】
図２は、第一ころ１３及び第二ころ１４を説明する断面図である。図２では（及び後に説明する図５及び図６でも）保持器及び案内輪を省略している。第一ころ１３の外周に第一被膜４１が形成されており、第二ころ１４の外周に第二被膜４２が形成されている。第一ころ１３の外周及び第二ころ１４の外周はそれぞれ機械加工面（研磨面）であり、この機械加工面上に被膜４１，４２が形成されている。第一被膜４１と第二被膜４２とは種類が異なる。
【００２４】
第一被膜４１及び第二被膜４２の具体例を説明する。
＜第一の例＞
第一被膜４１はりん酸マンガン被膜であり、第二被膜４２はダイヤモンドライクカーボン被膜である。
＜第二の例＞
第一被膜４１は黒色酸化被膜であり、第二被膜４２はダイヤモンドライクカーボン被膜である。
＜第三の例＞
第一被膜４１はりん酸マンガン被膜であり、第二被膜４２は黒色酸化被膜である。
【００２５】
このように、第一から第三の例では、第一ころ１３の外周と第二ころ１４の外周との双方に被膜４１，４２が形成されており、第一ころ１３の被膜４１と第二ころ１４の被膜４２とは種類が異なっている。なお、本実施形態のダイヤモンドライクカーボン被膜は、タングステンカーバイド含有のダイヤモンドライクカーボン被膜である。
【００２６】
図３は、各例で用いられる被膜（４１，４２）の摩擦係数（代表値）を示している。なお、この摩擦係数（代表値）は、図４に示す方法により測定された平均値である。この測定では、試験片５０、軸受鋼（ＳＵＪ２）製の３／１６インチの玉５２が用いられている。試験片５０は、軸受鋼（ＳＵＪ２）製の平板に（図３に示す）各被膜４１（４２）を形成したものである。被膜４１（４２）が上方に向くように試験片５０を設置し、この被膜４１（４２）に、転がらないように固定された玉５２を接触させる。試験片５０の表面（被膜４１（４２）の上面）は無潤滑である。試験片５０と玉５２との間に接触荷重（１０Ｎ）を与え、玉５２と試験片５０とを図中矢印Ｂで示すように相対的に往復移動させた。この往復移動を３６００秒続けた。前記往復移動の平均線速度は４０ｍｍ／秒であり、往復のストロークは１０ｍｍである。この条件で各被膜４１（４２）の場合の摩擦係数を測定した。測定時の雰囲気温度は、室温（２０℃）である。
【００２７】
図３には、表面処理無しの場合、つまり、ころ１３（１４）に被膜を形成せず、ころ１３（１４）の外周面が機械加工面（研磨面）である場合のその外周面の摩擦係数についても記載している。この摩擦係数は、試験片５０の上面を機械加工面（研磨面）とすることで測定される。
りん酸マンガン被膜は、機械加工面（研磨面）よりも摩擦係数が高く、図３に示す中で摩擦係数が最も高い。ダイヤモンドライクカーボン被膜は、図３に示す中で摩擦係数が最も低い。
【００２８】
前記のとおり（図１参照）軸方向一方側から他方側へ向かうアキシアル荷重が内輪１１に作用すると、第一列Ｌ１に含まれる第一ころ１３の内輪１１及び外輪１２に対する接触荷重が小さくなる。このような非負荷列側となる第一列Ｌ１に含まれる第一ころ１３は、内輪１１及び外輪１２との間で滑りが発生しやすい環境にある。しかし、第一ころ１３の外周面２０の摩擦係数を大きくすることで、前記滑りの発生を抑制することが可能となる。前記の第一から第三の例に示すように、第一ころ１３の外周面２０の摩擦係数を０．２よりも大きくすることで、非負荷列側となる第一ころ１３において、滑りの発生を抑制することが可能となる
【００２９】
また、軸方向他方側に設けられている負荷列側（第二列Ｌ２）の第二ころ１４は、前記のようなアキシアル荷重が作用すると、内輪１１及び外輪１２に対する接触荷重が大きくなる。このような負荷列側となる第二列Ｌ２に含まれる第二ころ１４は、第一列Ｌ２側と異なり、滑りは発生し難い。しかし、接触荷重が大きくなることで、内輪１１及び外輪１２と第二ころ１４との間で摩耗が発生しやすくなる場合がある。そこで、前記の第一から第三の例に示すように、第二列Ｌ２に含まれる第二ころ１４の外周にも被膜（第二被膜４２）が形成されている。しかも、この被膜（第二被膜４２）は摩擦係数が低い（摩擦係数が０．２よりも低い）。このため、内輪１１及び外輪１２と第二ころ１４との間における摩耗を抑制することが可能となる。
【００３０】
このように、前記の第一から第三の例によれば、反負荷列側となる第一列Ｌ１に含まれる第一ころ１３の外周面２０の摩擦係数が高いことから、第一ころ１３の内輪１１及び外輪１２に対する滑りが効果的に抑制され、更に、負荷列側となる第二列Ｌ２に含まれる第二ころ１４の外周面２０の摩擦係数は低いことから、第二ころ１４と内輪１１及び外輪１２との間の摩耗を抑制することが可能となる。
【００３１】
摩擦係数が高いりん酸マンガン被膜を第一被膜４１として有し、摩擦係数が低いダイヤモンドライクカーボン被膜を第二被膜４２として有している前記第一の例が最も好ましい。第一の例では、第一被膜４１と第二被膜４２との摩擦係数の差が０．４を超えており、このように摩擦係数の差が大きい程、第一列Ｌ１側の滑りを抑制し、かつ、第二列Ｌ２側の摩耗を抑制する作用が高い。なお、第二の例のように、第一被膜４１と第二被膜４２との摩擦係数の差が０．１を超えていればよく、また、第三の例のように、第一被膜４１と第二被膜４２との摩擦係数の差が０．２を超えているのがより好ましい。
【００３２】
図５は、図２に示す形態の変形例を示しており、第一ころ１３及び第二ころ１４を説明する断面図である。この複列ころ軸受１０においても、図１（図２）に示す形態と同様のアキシアル荷重が作用する。図５に示す複列ころ軸受１０では、非負荷列側となる第一列Ｌ１に含まれる第一ころ１３の外周には、摩擦係数を高めるための被膜４１が形成されているが、負荷列側となる第二列Ｌ２に含まれる第二ころ１４の外周は、被膜が形成されておらず、外周面２３は機械加工面（研磨面）となっている。第一ころ１３に形成されている被膜４１は、りん酸マンガン被膜である。このため、被膜４１を有する第一ころ１３の外周面２０の摩擦係数は、表面処理無しの機械加工面（研磨面）による第二ころ１４の外周面２３よりも摩擦係数が高い（図３参照）。
【００３３】
図５に示す形態は、下記のとおりである（第四の例）。
＜第四の例＞
第一ころ１３の第一被膜４１はりん酸マンガン被膜であり、第二ころ１４の外周面２３は機械加工面（研磨面）である。
【００３４】
図５に示す複列ころ軸受１０においても、反負荷列側となる第一列Ｌ１に含まれる第一ころ１３の外周面２０の摩擦係数が高くなっていることから、内輪１１及び外輪１２に対する第一ころ１３の滑りが効果的に抑制される。図５に示す複列ころ軸受１０は、作用する荷重が比較的（図２に示す複列ころ軸受１０の場合よりも）小さい場合に好適である。つまり、負荷列側となる第二列Ｌ２に含まれる第二ころ１４と内輪１１及び外輪１２との間の摩耗がさほど問題とならない場合に好適である。
【００３５】
第一から第四の各例では、第一列Ｌ１が非負荷列となり、第二列Ｌ２が負荷列となる。そこで、少なくとも第一列Ｌ１に含まれる第一ころ１３の外周に被膜４１が形成されており、この被膜４１によって、第一列Ｌ１に含まれる第一ころ１３の外周面２０が、第二列Ｌ２に含まれる第二ころ１４の外周面２３よりも摩擦係数が大きくなっていればよい。
【００３６】
前記第四の例の変形例を図６に示す、図６に示す複列ころ軸受１０では（第四の例と反対に）第一ころ１３の外周面２０が表面処理無しであり、第二ころ１４の外周に被膜４２が形成されている。第二ころ１４の外周に形成する被膜４２としては、黒色酸化被膜又はダイヤモンドライクカーボンである。なお、この場合、第一ころ１３の外周面２０は機械加工面（研磨面）であるが、その表面粗さを高めに設定してもよい。つまり、被膜４２を形成する第二ころ１４の外周も機械加工（研磨）が施され、その上に被膜４２が形成されるが、この第二ころ１４の外周において機械加工（研磨）により得られる表面粗さよりも、第一ころ１３の外周において機械加工（研磨）により得られる表面粗さの方が高くなるようにしてもよい。この図６に示す形態（第五の例）の場合も、第一ころ１３の機械加工面（研磨面）からなる外周面２０の摩擦係数が、被膜４２の形成された第二ころ１４の外周面２３の摩擦係数よりも大きくなる。
【００３７】
図７は、更に別の複列ころ軸受１０の断面図である。この複列ころ軸受１０は、内輪１１、外輪１２、及び、内輪１１と外輪１２との間に設けられている複列のころ１３，１４を備えている。ころ１３，１４は、円すいころであり、この複列ころ軸受１０は、複列円すいころ軸受である。図７に示す複列ころ軸受１０においても、図１に示す複列ころ軸受（自動調心ころ軸受）１０と同様に、内輪１１及び外輪１２に対するころ１３，１４の接触荷重が、軸方向一方側の第一ころ１３を複数含む第一列Ｌ１と、軸方向他方側の第二ころ１４を複数含む第二列Ｌ２とで相違することがある。そして、第一列Ｌ１と第二列Ｌ２とのうちの少なくとも一方の列に含まれるころの外周に被膜が形成されていることにより、第一ころ１３の外周面２０の摩擦係数が、第二ころ１４の外周面２３の摩擦係数よりも大きくなっている。図７に示す形態では、第一ころ１３の外周と第二ころ１４の外周との双方に被膜４１，４２が形成されており、これら被膜４１，４２は種類が異なる。なお、図７に示す形態においても、被膜は、第一ころ１３と第二ころ１４との一方のみに形成されていてもよい。図７に示す複列ころ軸受１０と、図１に示す複列ころ軸受１０とで、同一の構成要素に対しては同一の符号（参照番号）を付している。
【００３８】
以上のように、前記各形態の複列ころ軸受１０は、内輪１１及び外輪１２に対するころ１３，１４の接触荷重が、第一列Ｌ１と第二列Ｌ２とで相違することがある。そこで、第一列Ｌ１と第二列Ｌ２とのうちの少なくとも一方の列に含まれるころの外周に被膜が形成されていることにより、第一ころ１３の外周面２０の摩擦係数を、第二ころ１４の外周面２３の摩擦係数よりも大きくしている。この複列ころ軸受１０によれば、内輪１１及び外輪１２に対するころ１３，１４の接触荷重が、第二列Ｌ２側と比較して第一列Ｌ１側で小さくなり、内輪１１及び外輪１２との間で第一列Ｌ１に含まれる第一ころ１３の滑りが発生しやすい環境であっても、第一ころ１３の外周面２０の摩擦係数が大きいことから、滑りの発生を抑制することが可能となる。この結果、内輪１１及び外輪１２と第一ころ１３との間でスミアリング（微小焼付き）が発生するのを防止することができる。
【００３９】
前記各形態の複列ころ軸受１０は、軸方向一方側から軸方向他方側へアキシアル荷重が作用する。このアキシアル荷重によって、前記接触荷重が大きくなる負荷列側となる第二列Ｌ２に含まれる第二ころ１４の外周面２３の摩擦係数よりも、前記接触荷重が小さくなる反負荷列側となる第一列Ｌ１に含まれる第一ころ１３の外周面２０の摩擦係数が大きくなっていればよい。
【００４０】
また、前記第一の例、第二の例、及び第三の例に示すように（図２参照）、第一ころ１３の外周と第二ころ１４の外周とに異なる被膜４１，４２が形成されている。つまり、第一ころ１３に摩擦係数を高くする第一被膜４１が形成され、第二ころ１４に第一被膜４１とは異なる（摩擦係数を低くする）第二被膜４２が形成されている。これにより、第一ころ１３の滑りを抑制することができると共に、第二ころ１４と内輪１１及び外輪１２との接触による摩耗を抑制することが可能となる。
【００４１】
なお、図３に示す測定において、摩擦係数（代表値）は、動摩擦係数と静摩擦係数との双方を含む平均値となるが、本発明においては、第一ころ１３の外周面２０の動摩擦係数が、第二ころ１４の外周面２３の動摩擦係数よりも大きければよい。すなわち、第一ころ１３の外周面２０の静摩擦係数が、第二ころ１４の外周面２３の静摩擦係数よりも小さい場合であっても、第一ころ１３の外周面２０の動摩擦係数が、第二ころ１４の外周面２３の動摩擦係数よりも大きければよい。
【００４２】
今回開示した実施形態はすべての点で例示であって制限的なものではない。本発明の権利範囲は、上述の実施形態に限定されるものではなく、特許請求の範囲の範囲に記載された構成と均等の範囲内でのすべての変更が含まれる。被膜４１，４２の種類は、例示したもの以外であってもよい。
【符号の説明】
【００４３】
１０：複列ころ軸受        １１：内輪        １２：外輪
１３：第一ころ            １４：第二ころ    ２０：外周面
２３：外周面              ４１：第一被膜    ４２：第二被膜
【図１】
2019100487.tif 000003
【図２】
2019100487.tif 000004
【図３】
2019100487.tif 000005
【図４】
2019100487.tif 000006
【図５】
2019100487.tif 000007
【図６】
2019100487.tif 000008
【図７】
2019100487.tif 000009
【図８】
2019100487.tif 000010